(57)【特許請求の範囲】
【請求項１】
複数の通信端末および前記通信端末間の通信を制御する少なくとも１つのスイッチ回路（以下、通信端末およびスイッチ回路をノードと呼ぶ）を有する物理的なネットワーク上に構成される、複数の閉域ネットワークを実現するバーチャルネットワーク層におけるノードの管理情報を定義するバーチャルネットワーク空間と、ディレクトリサービス層におけるノードの管理情報を定義するバーチャルサービス空間と、を管理するネットワーク管理システムであって、
前記複数の閉域ネットワークの各々に少なくとも１つ設けられた閉域領域管理マネージャと、前記複数の閉域ネットワークの各々に少なくとも１つ設けられた相互接続管理エージェントと、少なくとも１つ設けられた相互接続管理マネージャと、少なくとも1つ設けられたサービス管理エージェントと、少なくとも１つ設けられたサービス管理マネージャと、を有し、
前記閉域管理マネージャは、システム管理者の指示に従い、自身が属する閉域ネットワーク内のノードと通信を行なって、前記閉域ネットワークにおける当該ノードの管理情報の管理・更新を行ない、
前記相互接続管理エージェントは、他の閉域ネットワークに属する他の前記相互接続管理エージェントと通信を行なって、自身が属する閉域ネットワークおよび他の閉域ネットワーク間を相互接続し、
前記相互接続管理マネージャは、ネットワーク管理者の指示に従い、前記相互接続管理エージェントと通信を行なって、当該相互接続管理エージェントが属する閉域ネットワークの他の閉域ネットワークとの接続状態の管理・更新を行い、
前記サービス管理エージェントは、前記ディレクトリサービス層におけるノードの管理情報を管理し、
前記サービス管理マネージャは、サービス管理者の指示に従い、前記サービス管理エージェントと通信を行なって、当該サービス管理エージェントが管理する前記ディレクトリサービス層におけるノードの管理情報の更新を行なうこと
を特徴とするネットワーク管理システム。
【請求項２】
請求項１に記載のネットワーク管理システムであって、
前記閉域管理マネージャは、前記システム管理者より指定されたノードと通信を行なって、当該ノードから管理情報を入手して表示画面に表示し、当該表示画面上で管理情報の設定値を受け付け、当該ノードの管理情報を更新すること
を特徴とするネットワーク管理システム。
【請求項３】
請求項１又は２に記載のネットワーク管理システムであって、
前記相互接続管理マネージャは、全ての相互接続管理エージェント各々から、当該相互接続管理エージェントが属する閉域ネットワークの他の閉域ネットワークとの接続状態を入手して、前記複数の閉域ネットワーク間の接続状態を表示画面に表示し、当該表示画面を介して前記ネットワーク管理者から新規に相互接続する閉域ネットワークの指定を受け付け、指定された閉域ネットワーク間が相互接続されるように、当該指定された閉域ネットワーク各々の相互接続管理エージェントの接続状態を更新すること
を特徴とするネットワーク管理システム。
【請求項４】
請求項１乃至３のいずれか一項に記載のネットワーク管理システムであって、
前記サービス管理マネージャは、前記サービス管理者より指定されたノードの前記ディレクトリサービス層における管理情報を入手して表示画面に表示し、当該表示画面上で管理情報の変更を受け付け、当該サービス管理エージェントが管理する当該ノードの管理情報の更新を行なうこと
を特徴とするネットワーク管理システム。
【請求項５】
請求項１乃至４のいずれか一項に記載のネットワーク管理システムであって、
前記バーチャルネットワーク空間は、各ノードの通信ポートに関する情報を定義するバーチャルネットワーク層と、各ノードのＭＡＣアドレスに関する情報を定義するバーチャルネットワーク層と、各ノードのＩＰアドレスに関する情報を定義するバーチャルネットワーク層と、を含むこと
を特徴とするネットワーク管理システム。
【請求項６】
請求項１乃至５のいずれか一項に記載のネットワーク管理システムであって、
前記スイッチ回路に接続された媒体共有型のネットワークを有し、
前記媒体共有型のネットワークは、１つの前記閉域ネットワークとして定義されること
を特徴とするネットワーク管理システム。
【発明の詳細な説明】
【０００１】
【発明の属する技術分野】
本発明は、ネットワークを管理するための技術に関し、特に、スイッチ型ネットワークでの各種情報機器の動作を規定する管理情報の登録・更新を行う技術に関するものである。
【０００２】
【従来の技術】
イーサネット等の媒体共有型ネットワークでは、ネットワークの物理的な構成を対象にネットワークの管理を行う。ネットワークの構成や動作状況の監視、通信制御等に利用される管理情報も、ネットワーク上の全ての構成について一括して管理される。管理情報が複雑に関連し合う場合もあり、特に、規模の大きいネットワークでは、構成に変更が生じると管理者が複雑で工数の多い登録・更新作業を行わなければならなかった。
【０００３】
一方、ＡＴＭ（Ａｓｙｎｃｈｒｏｎｏｕｓ  Ｔｒａｎｓｆｅｒ  Ｍｏｄｅ）技術により通信の高速化を実現したスイッチ型ネットワークが普及しつつある。スイッチ型ネットワークの構成は、実際のネットワークの物理的な構成の他に、論理的な構成によっても表すことができる。また、例えば、物理的なネットワークを複数の論理的な閉域ネットワークに分割し、分割した各閉域ネットワークを独立したネットワークとして管理することが可能である。管理情報も各閉域ネットワーク毎に管理することができる。このような論理的なネットワークは、バーチャルネットワーク（Ｖｉｒｔｕａｌ  Ｎｅｔｗｏｒｋ）と呼ばれる。なお、バーチャルネットワークの構築・管理については、日経コミュニケーション１９９４年１１月２１日号の「突入、バーチャルＬＡＮ」に詳しく記載されている。
【０００４】
【発明が解決しようとする課題】
企業の組織等では、人事異動等により社員の所属の変更が頻繁に起こる。また、パソコンやワークステーション等の情報機器も、その利用者の移動先に配置を移されることがある。上記従来の技術によれば、スイッチ型ネットワークを構成する各閉域ネットワークの内部に限定される構成の変更については管理情報の更新作業を容易とすることができる。しかし、利用者の所属変更等により構成の変更が複数のバーチャルネットワークにまたがる場合の登録・更新作業については全く考慮されていなかった。
【０００５】
そこで、本発明は、複数の仮想的な閉域ネットワークにまたがってネットワークの構成を変更する場合にも管理者が管理情報の登録・更新を容易に実施可能なネットワーク管理システムを提供することを目的とする。
【０００６】
【課題を解決するための手段】
上記の目的を達成するために、本発明は、複数の通信端末と、当該通信端末間の通信を制御する少なくとも１つのスイッチ回路とを有するネットワークにおいて、前記通信端末およびスイッチ回路の動作を規定する管理情報の登録・更新を行うネットワーク管理システムであって、所定の規則により選択した前記通信端末もしくはスイッチ回路を有する複数の仮想的な閉域ネットワークを定義する手段と、前記管理情報を、所定の規則により区分された複数の論理階層の各論理階層について定義する手段とを有し、前記通信端末およびスイッチ回路は、それぞれに、前記閉域ネットワークもしくは論理階層を分担し、分担する閉域ネットワークもしくは論理階層の管理情報を記憶する記憶手段を有し、少なくとも１つの前記通信端末は、入力された情報を基に、登録・更新対象の管理情報を記憶する前記通信端末もしくはスイッチ回路との間で、登録・更新対象の管理情報を通信して、当該管理情報の登録・更新を前記閉域ネットワーク毎および前記論理階層毎に個別に実施する手段を有する管理用通信端末であることを特徴とするネットワーク管理システムを提供する。
【０００７】
本発明のネットワーク管理システムでは、スイッチ回路を有するネットワークを論理的な構成により定義し、その管理情報を仮想的な閉域ネットワーク毎、さらに、論理階層毎に定義して管理する。そして、管理情報の登録・更新も論理階層毎に実施できるようにする。各論理階層では管理情報がより単純な形式で管理されていることから、複数の仮想的な閉域ネットワークにまたがってネットワークの構成を変更する場合にも管理者は、管理情報の登録・更新作業を容易に実施することができる。
【０００８】
【発明の実施の形態】
以下で、本発明の実施の形態を、図面を用いて説明する。
【０００９】
図１に、本実施の形態に係るネットワーク管理システムが適用されるネットワークの構成例を示す。図１のネットワークは、ＷＡＮとＬＡＮにより構成され、基本的にスイッチ型ネットワークを構成している。回線制御を行うスイッチ回路としては、ＷＡＮにＡＴＭ交換機１００を配置し、ＬＡＮにはＡＴＭ交換機１００およびスイッチングＨＵＢ２００等を配置している。また、ネットワークの通信端末としては、サーバ３００と複数のクライアント４００等が配置されている。サーバ３００とそこに直接接続されたクライアント４００は、媒体共有型ネットワークを構成している。なお、以下ではネットワークを構成するスイッチ回路および通信端末をノードと呼ぶ。
【００１０】
本ネットワーク管理システムは、上記のノードに配置された管理マネージャおよび管理エージェント（後述）により実現され、図１に示すように、グローバルネットワークからローカルネットワークまでの全ての範囲のネットワークを管理対象とする。また、本ネットワーク管理システムは、ネットワークを論理的な構成により定義し、ネットワーク内の各種通信機器の管理情報は、複数の論理階層毎、さらに、バーチャルネットワーク（閉域ネットワーク）毎に分割して管理する。
【００１１】
図２は、論理階層の一例を示したものである。図２において、ネットワークの構成は物理ネットワーク空間１０００で定義されるが、本ネットワーク管理システムでは、スイッチ型ネットワークの構成を複数の論理的なネットワーク空間により定義する。論理的なネットワーク空間には、例えば各ノードの通信ポートに関わる情報を定義するバーチャルＬＡＮ空間（ｗｉｔｈ  Ｐｏｒｔ）２１００と、各ノードの通信インターフェースに関わる管理情報を定義するバーチャルＬＡＮ空間（ｗｉｔｈ  ＭＡＣ）２２００と、各ノードの通信プロトコルに関わる管理情報を定義するバーチャルネットワーク空間（ｗｉｔｈ  ＩＰ）２３００と、ネットワークにおける各ノードのディレクトリ構成に関わる管理情報を定義するバーチャルサービス空間（ｗｉｔｈ  Ｄｉｒｅｃｔｏｒｙ  Ｓｅｒｖｉｃｅ）３０００とが含まれる。バーチャルＬＡＮ空間（ｗｉｔｈ  Ｐｏｒｔ）２１００、バーチャルＬＡＮ空間（ｗｉｔｈ  ＭＡＣ）２２００、バーチャルネットワーク空間（ｗｉｔｈ  ＩＰ）２３００は、バーチャルネットワークの閉域性を実現しており、各バーチャルネットワークの内部の構成を独立して管理することができる。ただし、これらのネットワーク空間２１００，２２００，２３００の管理情報は、バーチャルサービス空間（ｗｉｔｈ  Ｄｉｒｅｃｔｏｒｙ  Ｓｅｒｖｉｃｅ）３０００の管理情報の登録に従属して登録される。本ネットワーク管理システムでは、以上のように管理情報を機能的な要素（論理階層）毎に管理することで、管理情報の登録・更新作業を容易とする。
【００１２】
次に、本ネットワーク管理システムの管理方法の概要を説明する。
【００１３】
企業の課、部、事業所のように、部署が階層化されている組織では、上位の組織単位が下位の組織単位の集合によって構成され、ネットワークのアクセス権の設定等も組織単位でなされることが多い。本ネットワーク管理システムは、ネットワークの構成を各ノードの物理的な配置ではなく、各ノードの割り当てられた組織単位で管理する。
【００１４】
図３に、論理的なネットワーク空間で定義される管理情報の一例を示す。図３において、ディレクトリサービス・ウィンドウ１００１は、バーチャルサービス空間（ｗｉｔｈ  Ｄｉｒｅｃｔｏｒｙ  Ｓｅｒｖｉｃｅ）３０００での登録内容の一例を示し、ネットワークを組織単位の論理的な階層構造で表している。情報機器・ウィンドウ３０００は、バーチャルネットワーク空間（ｗｉｔｈ  ＩＰ）２３００での登録内容の一例を示し、バーチャルネットワーク毎の構成を表している。
【００１５】
ディレクトリサービス・ウィンドウ３０００は、全てのネットワークのディレクトリツリーを構成する。本例では、インターネット等により世界規模のネットワークを構成しており、最上位のディレクトリ「Ｒｏｏｔ」は地球を表す。その下に日本を示す「Ｊａｐａｎ」があり、その下には一企業を示す「ＨＩＴＡＣＨＩ」がある。さらに、その下に事業所の「ＳＤＬ」や「ＳＤＣ」があり、その下には部の「４Ｄｅｐｔ．」や「５Ｄｅｐｔ．」がある。本例では、この部の単位でバーチャルネットワークを構築している。また、部「４Ｄｅｐｔ．」の下には、部長「ＭａｎａｇｅｒＡ」、課「４０５Ｕ」、部内で使用するファイルサーバ「ＦＳ１」、プリントサーバ「ＰＳ１」、プリンタ「Ｐｒｉｎｔｅｒ１」があり、課４０５Ｕの下にはユーザ「Ｂ」，「Ｃ」，「Ｄ」が登録されている。同様に、部「５Ｄｅｐｔ．」の下に部長「ＭａｎａｇｅｒＥ」、部レベルで使用するファイルサーバ「ＦＳ２」，プリントサーバ「ＰＳ２」，プリンタ「Ｐｒｉｎｔｅｒ２」、課「５０１Ｕ」があり、課「５０１Ｕ」の下にはユーザ「Ｆ」，「Ｇ」が登録されている。
【００１６】
情報機器・ウィンドウ２３００では、部「４Ｄｅｐｔ．」と部「５Ｄｅｐｔ．」の各バーチャルネットワークを表示している。バーチャルネットワーク（４Ｄｅｐｔ．）とバーチャルネットワーク（５Ｄｅｐｔ．）は、ディレクトリサービス・ウィンドウ３０００の部「４Ｄｅｐｔ．」と「５Ｄｅｐｔ．」にそれぞれ対応しており、各構成要素も対応している。なお、本例では、ユーザが各１台の情報機器を所有するものとしている。
【００１７】
ここで、部「４Ｄｅｐｔ．」の課「４０５Ｕ」に所属するユーザ「Ｄ」３００１とその情報機器が、部「５Ｄｅｐｔ．」の課「５０１Ｕ」に所属を変更されたとする。この変更に応じてネットワークの管理者は、管理用ノードを使って、課「４０５Ｕ」におけるユーザ「Ｄ」３００１の登録を削除して、課「５０１Ｕ」にユーザ「Ｄ」３００１を登録する。そして、ユーザ「Ｄ」の情報機器２３０１もバーチャルネットワーク（４Ｄｅｐｔ．）からバーチャルネットワーク（５Ｄｅｐｔ．）へ移す。このように、複数のバーチャルネットワークにまたがって構成を変更する場合にも、管理者は管理情報の登録・更新を容易に実施できる。
【００１８】
次に、本ネットワーク管理システムの構成および動作をより詳しく説明する。
【００１９】
図４は、本ネットワーク管理システムによるネットワークの管理形態を示す図である。図４では、管理対象のネットワークを、バーチャルＬＡＮ空間／ネットワーク空間２０００と、バーチャルサービス空間３０００に分けて定義している。バーチャルＬＡＮ空間／ネットワーク空間２０００では、閉域性を持つ複数のバーチャルネットワーク２３１０，２３２０，２３３０，２３４０，２３５０と、その接続状態が定義されている。図中のパス２０１０はバーチャルネットワーク２３１０，２３２０が互いに通信可能に接続されていることを示している。ここで、各バーチャルネットワーク内のノード２２１０，２２２０，２２３０，２２４０の構成はシステム管理者２０が管理し、バーチャルネットワーク間の接続はネットワーク管理者１０が管理する。そして、バーチャルサービス空間３０００の管理はサービス管理者３０が行う。
【００２０】
図４において、各バーチャルネットワークの全てのノードは、閉域領域管理エージェント２２０１，２２０２，２２０３，２２０４，２２０５の機能を持っている。また、ノードには、閉域領域管理マネージャの機能を持つ管理用ノードも含まれる。閉域領域管理マネージャ２２００は、システム管理者２０の指示に応じて、閉域領域管理エージェントとの間で管理情報を通信し、管理情報の登録・更新やノードの動作状態の監視を行う。動作状態の監視では、例えばノードのディスク装置の空き容量が無くなった場合、そのことを知らせるエラー情報が、当該ノードの閉域領域管理エージェントから閉域領域管理マネージャに通知される。
【００２１】
各バーチャルネットワーク２３１０，２３２０，２３３０，２３４０，２３５０内の少なくとも各１つのノードには、それぞれ、相互接続管理エージェント２３１１，２３２１，２３３１，２３４１，２３５１の機能が設けられている。また、ノードには、相互接続管理マネージャの機能を持つ管理用ノードも含まれる。相互接続管理マネージャ２１００は、ネットワーク管理者１０の指示に応じて、相互接続管理エージェントとの間で管理情報を通信し、そのバーチャルネットワークと他のバーチャルネットワークとの接続状態の管理・更新を行う。
【００２２】
また、ネットワーク内のノードにはサービス管理エージェント３１１０の機能を持つノードと、サービス管理マネージャの機能を持つ管理用ノードも含まれる。サービス管理エージェント３１１０は、管理対象のネットワークに含まれる全てのノードの配置情報を階層的に記憶・管理する。サービス管理マネージャ３１００は、サービス管理者３０の指示に応じて、サービス管理エージェント３１１０との間で管理情報を通信し、ノードの配置の管理・更新を行う。
【００２３】
上記の閉域領域管理マネージャ、相互接続管理マネージャ、サービス管理マネージャは、登録更新対象となる管理情報が各ノードにどのように割り当てられているかを示す情報と、その管理情報が割り当てられているノードのアドレス情報を有し、そのアドレス情報を指定してノードと通信を行う。なお、閉域領域管理マネージャ２２００は各バーチャルネットワーク毎に個別に配置してもよい。逆に、閉域領域管理マネージャ２２００、相互接続管理マネージャ２１００、サービス管理マネージャ３１００を１つの管理用ノードに配置してもよい。
【００２４】
次に、本ネットワーク管理システムにおける処理を説明する。
【００２５】
ネットワーク管理者１０は、ネットワーク内のノードのグルーピングを行う。このグルーピング時の相互接続管理マネージャ２１００の処理フローを図５に示し、操作画面を図６に示す。相互接続管理マネージャ２１００は、バーチャルネットワークの構成単位であるグループ（本例では部）の指定を、ウィンドウＷ３上でネットワーク管理者１０から受ける（Ｓ１）。そして、ネットワーク内の全てのノードをウィンドウＷ１に一覧表示し（Ｓ２）、指定されたグループＡの情報機器をウィンドウＷ３に一覧表示する（Ｓ３）。そして、カーソルＣ１により選択されたノードの登録または削除を指定されたグループＡについて実施する（Ｓ４）。ここで、ウィンドウＷ１上で選択されたノードは新たにグループＡに登録され、一方、ウィンドウＷ３上で選択されたノードはグループＡの登録から削除される。そして、ノードの登録および削除が終了するとその更新内容を示す管理情報を生成して、対応する相互接続管理エージェントへ送信する（Ｓ５）。一方、管理情報を受信したエージェントは、その管理情報を基に、自ノードに記憶される管理情報を更新する。なお、ノードの表示方法は、一覧表示の他、アイコンベースのグラフィカルな表示など、ネットワーク管理者１０が分かりやすい方法であれば、どんな形式でも構わない。また、グループも、バーチャルネットワークの単位であればよく、必ずしも部単位とする必要はない。
【００２６】
システム管理者２０は、バーチャルネットワーク内の各ノードの管理情報（デスクトップ情報）の設定・更新も行う。管理情報の設定・更新時の閉域領域管理マネージャ２２００の処理フローを図７に示し、操作画面を図８に示す。閉域領域管理マネージャ２２００は、図８のウィンドウＷ４でグループ、ウィンドウＷ５でノードの指定を受ける（Ｓ１１）。そして、指定されたノードにデスクトップ情報を要求し（Ｓ１２）、提供されたデスクトップ情報をウィンドウＷ６に表示する（Ｓ１３）。カーソルＣ２やキーボードにより、ウィンドウＷ６内の情報の選択や新たな設定値を受け、デスクトップ情報の設定・更新を行う（Ｓ１３）。そして、更新したデスクトップ情報を対応するノードの閉域領域管理エージェントへ送信する。一方、閉域領域管理エージェントは、受信した管理情報を基に自ノードのデスクトップ情報を更新する。
【００２７】
ネットワーク管理者１０は、バーチャルネットワークの相互接続を定義する。その相互接続の設定・更新を行う相互接続管理マネージャ２１００の処理フローを、図９に示す。相互接続管理マネージャ２１００は、まず、相互接続管理エージェントに管理情報を要求し、提供された管理情報を基に全てのバーチャルネットワークとそれらの接続状態を表示する（Ｓ２１）。そして、新規に接続するバーチャルネットワークの指定を受け（Ｓ２２）、指定されたバーチャルネットワークを互いに接続するパスを新規に表示する（Ｓ２３）。図１０では、新規のパス２０１０が、処理Ｓ２３により新たに表示された状態を示している。そして、相互接続管理マネージャ２１００は、新規のパスに関する管理情報を受け付け（Ｓ２４）、その設定内容を示す管理情報を接続したバーチャルネットワーク内の相互接続管理エージェントへ送信する（Ｓ２５）。これにより、バーチャルネットワーク間の相互接続が実現される。なお、上記の相互接続の機能は、ネットワークの通信管理機能を備えたオペレーティングシステムを有するパソコンやワークステーション等で実現することができる。一方、管理情報を受信した相互接続管理エージェント２３１１は、その管理情報を基に自ノードで保有するバーチャルネットワーク間の相互接続を規定した管理情報を更新する。
【００２８】
サービス管理者３０は、サービス管理マネージャ３１００を利用して、ネットワークのディレクトリサービス情報の設定・更新を行う。サービス管理マネージャ３１００の処理を図１１に示し、操作画面を図１２に示す。サービス管理マネージャ３１００は、まず、ユーザの所属変更やノードの所属変更などの設定項目が指定されると（Ｓ３１）、サービス管理エージェントに対応する管理情報の提供を受けてディレクトリ情報を表示する（Ｓ３２）。そして、カーソルＣ４により指定された表示位置において設定の更新を行う（Ｓ３３）。図１２では、ユーザの所属を変更する際の操作画面において、ユーザＤの所属が更新対象に選択されている。次に、サービス管理マネージャ３１００は、更新された内容を示す管理情報をサービス管理エージェントへ送信して（Ｓ３４）処理を終了する。一方、管理情報を受信したサービス管理エージェント３１１０は、自ノードで記憶しているディレクトリ情報を、受信した管理情報を基に更新する。
【００２９】
以上のように、本ネットワーク管理システムでは、ネットワークを論理的な構成により管理し、管理情報をバーチャルネットワーク毎、論理階層毎に定義・分割して管理し、管理情報の登録・更新もバーチャルネットワーク毎、論理階層毎に実施可能とした。このため、管理者は、複数のバーチャルネットワークにまたがってネットワークの構成を変更する場合にも、管理情報の登録・更新作業を容易に実施することができる。
【００３０】
【発明の効果】
本発明によれば、複数のバーチャルネットワークにまたがってネットワークの構成を変更する場合にも管理者が管理情報の登録・更新を容易に実施可能なネットワーク管理システムを提供することができる。
【図面の簡単な説明】
【図１】本発明の実施形態に係るネットワーク管理システムの管理対象の全体の構成例を示す図である。
【図２】論理階層の構成を示す図である。
【図３】ディレクトリサービス・ウィンドウと、情報機器・ウィンドウを示す図である。
【図４】ネットワーク管理システムの構成例を示す図である。
【図５】閉域領域管理マネージャのグルーピング処理のフローチャートである。
【図６】グルーピング処理時の操作画面の一例を示す図である。
【図７】閉域領域管理マネージャの属性設定処理のフローチャートである。
【図８】属性設定処理時の操作画面の一例を示す図である。
【図９】相互接続性管理マネージャの処理を示す図である。
【図１０】相互接続性管理エージェントの処理時の操作画面を示す図である。
【図１１】サービス管理マネージャの処理を示す図である。
【図１２】サービス管理マネージャの処理時の操作画面を示す図である。
【符号の説明】
１０・・・ネットワーク管理者
２０・・・システム管理者
３０・・・サービス管理者
１００・・・ＡＴＭ交換機
２００・・・スイッチングＨＵＢ
３００・・・サーバ
４００・・・クライアント
１０００・・・フィジカルネットワーク空間
２１００・・・バーチャルネットワーク空間（ｗｉｔｈ  Ｐｏｒｔ）
２２００・・・バーチャルネットワーク空間（ｗｉｔｈ  ＭＡＣ）
２３００・・・バーチャルネットワーク空間（ｗｉｔｈ  ＩＰ）
３０００・・・バーチャルサービス空間（ｗｉｔｈ  Ｄｉｒｅｃｔｏｒｙ  Ｓｅｒｖｉｃｅ）
２３０１・・・情報機器
３００１・・・ユーザ
２０００・・・バーチャルＬＡＮ／ネットワーク空間
２３１０・・・バーチャルネットワーク
２３２０・・・バーチャルネットワーク
２３４０・・・バーチャルネットワーク
２３５０・・・バーチャルネットワーク
２１００・・・相互接続管理マネージャ
２３１１・・・相互接続管理エージェント
２３２１・・・相互接続管理エージェント
２３３１・・・相互接続管理エージェント
２３４１・・・相互接続管理エージェント
２３５１・・・相互接続管理エージェント
２２１０・・・情報機器
２２２０・・・情報機器
２２３０・・・情報機器
２２４０・・・情報機器
２２００・・・閉域領域管理マネージャ
２２０１・・・閉域領域管理エージェント
２２０２・・・閉域領域管理エージェント
２２０３・・・閉域領域管理エージェント
２２０４・・・閉域領域管理エージェント
３１００・・・サービス管理マネージャ
３１１０・・・サービス管理エージェント
【図１】
0003609562.tif 000002
【図２】
0003609562.tif 000003
【図３】
0003609562.tif 000004
【図４】
0003609562.tif 000005
【図５】
0003609562.tif 000006
【図６】
0003609562.tif 000007
【図７】
0003609562.tif 000008
【図８】
0003609562.tif 000009
【図９】
0003609562.tif 000010
【図１０】
0003609562.tif 000011
【図１１】
0003609562.tif 000012
【図１２】
0003609562.tif 000013